(57)【要約】 【課題】  画像を観察する観察環境の光源に応じた、最適なキャリブレーションを複雑な手順を経ることなく行う。【解決手段】  記録システムであって、記録装置と、分光特性測定装置と、前記記録装置のキャリブレーションを行うホスト装置とを有する。また、複数の光源についての分光特性データを格納し、前記記録装置によりサンプル画像を記録させるよう制御し、前記分光特性測定装置により前記サンプル画像の分光特性を測定するよう制御する。また、前記記録装置により記録される画像を観察する観察環境の光源を設定する。また、観察環境の光源の分光特性を反映した前記サンプル画像の光学濃度を計算し、計算された光学濃度からルックアップテーブルを作成し、これを格納する。【選択図】  図２
2008271042.tif 000002
【特許請求の範囲】
【請求項１】
記録信号に基づき画像の記録を行う記録装置と、測定物の分光特性を測定する測定装置と、前記記録装置のキャリブレーションを行うホスト装置とを有する記録システムであって、
前記記録装置により記録された画像が観察されるときの光源を設定する設定手段と、
前記測定装置により測定された前記画像の分光特性と、前記設定手段において設定された前記光源の分光特性とに基づいて、前記観察されるときの光源における前記画像の光学濃度が所定の濃度となるように前記記録信号を生成するためのルックアップテーブルを生成する生成手段と、
を有することを特徴とする記録システム。
【請求項２】
前記ホスト装置は、前記画像の光学濃度に関する情報を格納する記憶手段をさらに有し、
前記生成手段は、前記観察されるときの光源における画像の光学濃度が、前記記憶手段に格納される情報に対応する前記画像の光学濃度になるように前記ルックアップテーブルを生成することを特徴とする請求項１に記載の記録システム。
【請求項３】
前記記憶手段は、前記画像の光学濃度に関する情報として分光特性を格納していることを特徴とする請求項２に記載の記録システム。
【請求項４】
前記記憶手段は、さらに、前記観察されるときの光源として複数の光源の分光特性を格納していることを特徴とする請求項２又は３に記載の記録システム。
【請求項５】
前記生成手段は、前記画像の分光特性と前記光源の分光特性とに基づいて前記観察されるときの光源における画像の光学濃度を取得し、当該画像の光学濃度が前記所定の濃度となるように前記ルックアップテーブルを生成することを特徴とする請求項１乃至４のいずれか１項に記載の記録システム。
【請求項６】
ルックアップテーブルを用いて記録データから記録信号を生成する生成手段と、前記記録信号に基づき画像の記録を行う記録手段と、測定物の分光特性を測定する測定手段と、を有し、前記記録手段のキャリブレーションを行うキャリブレーション方法であって、
キャリブレーションのための画像を記録する記録工程と、
前記キャリブレーションのための画像の分光特性を測定する測定工程と、
記録された画像が観察されるときの光源に関する情報を設定する設定工程と、
前記測定工程で測定された前記キャリブレーションのための画像の分光特性と、前記設定工程で設定された前記画像が観察されるときの光源の分光特性とに基づいて、前記観察されるときの光源における画像の光学濃度が所定の濃度となるように、前記ルックアップテーブルを更新するための更新工程と、
を備えることを特徴とするキャリブレーション方法。
【請求項７】
記録信号に基づき記録を行う記録装置と、予め定められた分光特性をもつ光源を有した分光特性測定装置と、前記記録装置のキャリブレーションを行うホスト装置とを有する記録システムであって、
複数の光源についての分光特性データを格納する記憶手段と、
前記記録装置によりサンプル画像を記録させるよう制御する記録手段と、
前記分光特性測定装置により前記サンプル画像の分光特性を測定するよう制御する測定手段と、
前記記録装置により記録される画像を観察する観察環境の光源を設定するための指示手段と、
前記分光特性測定装置により測定されて得られた前記サンプル画像の分光特性データと、前記指示手段により設定された設定条件に基づく前記記憶手段に格納された分光特性データとから、前記指示手段により設定された観察環境の光源の分光特性を反映した前記サンプル画像の光学濃度を計算する計算手段と、
前記計算手段により計算された前記光学濃度から、前記記録信号を補正するルックアップテーブルを作成する作成手段とを有し、
前記記憶手段は、前記ルックアップテーブルをさらに格納することを特徴とする記録システム。
【請求項８】
前記記憶手段は、さらに前記測定の際に使用する光学フィルタを設定するためのデータを格納し、
前記指示手段は、前記光学フィルタをさらに設定するための指示手段であることを特徴とする請求項７に記載の記録システム。
【請求項９】
記録信号に基づき記録を行う記録手段と、予め定められた分光特性をもつ光源を有した分光特性測定手段と、前記記録手段のキャリブレーションを行うキャリブレーション手段とを有する記録装置であって、
複数の光源についての分光特性データを格納する記憶手段と、
前記記録手段によりサンプル画像を記録させるよう制御する記録手段と、
前記分光特性測定手段により前記サンプル画像の分光特性を測定するよう制御する測定手段と、
前記記録手段により記録される画像を観察する観察環境の光源を設定するための指示手段と、
前記分光特性測定手段により測定されて得られた前記サンプル画像の分光特性データと、前記指示手段により設定された設定条件に基づく前記記憶手段に格納された分光特性データとから、前記指示手段により設定された観察環境の光源の分光特性を反映した前記サンプル画像の光学濃度を計算する計算手段と、
前記計算手段により計算された前記光学濃度から、前記記録信号を補正するルックアップテーブルを作成する作成手段とを有し、
前記記憶手段は、前記ルックアップテーブルをさらに格納することを特徴とする記録装置。
【請求項１０】
記録信号に基づき記録を行う記録装置と、予め定められた分光特性をもつ光源を有した分光特性測定装置とを接続し、前記記録装置のキャリブレーションを行うキャリブレーション装置であって、
複数の光源についての分光特性データを格納する記憶手段と、
前記記録装置によりサンプル画像を記録させるよう制御する記録手段と、
前記分光特性測定装置により前記サンプル画像の分光特性を測定するよう制御する測定手段と、
前記記録装置により記録される画像を観察する観察環境の光源を設定するための指示手段と、
前記分光特性測定装置により測定されて得られた前記サンプル画像の分光特性データと、前記指示手段により設定された設定条件に基づく前記記憶手段に格納された分光特性データとから、前記指示手段により設定された観察環境の光源の分光特性を反映した前記サンプル画像の光学濃度を計算する計算手段と、
前記計算手段により計算された前記光学濃度から、前記記録信号を補正するルックアップテーブルを作成する作成手段とを有し、
前記記憶手段は、前記ルックアップテーブルをさらに格納することを特徴とするキャリブレーション装置。
【請求項１１】
記録信号に基づき記録を行う記録装置と、予め定められた分光特性をもつ光源を有した分光特性測定装置と、前記記録装置のキャリブレーションを行うホスト装置とを有する記録システムのキャリブレーション方法であって、
複数の光源についての分光特性データを記憶手段に格納する格納工程と、
前記記録装置によりサンプル画像を記録させるよう制御する記録工程と、
前記分光特性測定装置により前記サンプル画像の分光特性を測定するよう制御する測定工程と、
前記記録装置により記録される画像を観察する観察環境の光源を設定するための設定工程と、
前記分光特性測定装置により測定されて得られた前記サンプル画像の分光特性データと、前記設定工程により設定された設定条件に基づく前記記憶手段に格納された分光特性データとから、前記設定工程により設定された観察環境の光源の分光特性を反映した前記サンプル画像の光学濃度を計算する計算工程と、
前記計算工程により計算された前記光学濃度から、前記記録信号を補正するルックアップテーブルを作成する作成工程と、
前記ルックアップテーブルをさらに前記記憶手段に格納するルックアップテーブルの格納工程と
を有することを特徴とするキャリブレーション方法。
【発明の詳細な説明】
【技術分野】
【０００１】
本発明は、記録手段のキャリブレーションを実行可能な手段を有する記録システム及び記録装置、記録装置のキャリブレーションを実行可能な手段を有するホスト装置、並びに記録装置のキャリブレーション方法に関する。
【背景技術】
【０００２】
プリンタ等の記録装置におけるキャリブレーションは、通常、出力γ補正処理等の色変換処理における処理パラメータの更新という形態で行われる。より具体的には、上記各処理はルックアップテーブル（以下、「ＬＵＴ」ともいう）を用いて行われるのが一般的である。キャリブレーションは、目標とする記録装置の特性（以下、「ターゲット」ともいう）とキャリブレーション対象である記録装置の特性（以下、「ソース」ともいう）との関係から、ＬＵＴのデータを更新することによって行われる。そして、ＬＵＴのデータの更新は、キャリブレーションの対象である記録装置でキャリブレーション用のサンプル画像（例えばパッチ）を記録し、下記式１で定義されるこの画像の光学濃度（Ｄ）を測定し、ターゲットの濃度値と比較することで行われる。つまり、キャリブレーションを行うことで、記録装置によって記録された画像が目標とする特性（濃度、色味）を有するように、キャリブレーション対象である記録装置の特性を考慮したＬＵＴのデータが更新（生成）される。
【０００３】
【数１】
2008271042.tif 000003
【０００４】
ここで、Ｓ（λ）は受光器の分光感度を表しており、積分はＳ（λ）＞０の間で行うものとし、Ｒ（λ）はパッチ画像の分光反射率、Ｐ（λ）は観察環境の光源である照明光の分光分布を表している。また、このとき測定対象が透過物の場合、Ｒ（λ）は分光透過率Ｔ（λ）となる。
【０００５】
一般的な市販の測定機で濃度測定を行う場合は、波長λの範囲と分解能が測定機の性能によって有限となるため上記式１は下記式２に変換される。
【０００６】
【数２】
2008271042.tif 000004
【０００７】
このとき、測定機で測定できる波長λは、ｍｉｎ以上ｍａｘ以下、分解能はｓｔｅｐで表される。一般的な測定機では、照明光の分光分布Ｐ（λ）はＤ５０やＤ６５で表される「ＣＩＥ昼光」を指定できるようになっている。受光器の分光感度Ｓ（λ）には「ＡＮＳＩ  ＳＴＡＴＵＳ  Ａ」や「ＤＩＮ  １６５３６」で規定されるＲ・Ｇ・Ｂの光学フィルタの分光感度が用いられる。
【０００８】
また、パッチ画像の分光反射率Ｒ（λ）はパッチ画像を記録した色材の分光特性だけでなく、紙などのパッチ画像が記録された記録媒体の分光特性との複合によって得られる。色材の分光反射率をＲｃ（λ）、記録媒体の分光反射率をＲｍ（λ）とすると、パッチ画像の分光反射率Ｒ（λ）は次式のような関係になると考えられる。
【０００９】
【数３】
2008271042.tif 000005
【００１０】
このとき、Ａは単位面積あたりの色材占有率を表しており、記録媒体上の色材が付与されていない部分は記録媒体の分光反射率が影響する。また、パッチ画像の分光反射率は、この色材占有率とは別の要因も関与しているため、それらをまとめてＣとしている。なお、色材占有率Ａは理想的にはプリンタへの出力信号値ｎによって一意に決定するため、その結果、パッチ画像の分光反射率Ｒ（λ）は出力信号値ｎによって一意に決定するはずである。しかし、実際には記録装置の不安定性により変動するため、キャリブレーションによる校正が必要になる。また、上述の色材占有率Ａが出力信号値ｎによって決定されるのは、色材として顔料を用いた場合である。色材が顔料であると、記録媒体の表面上に色材が残るため、色材の下にある記録媒体の分光反射率の影響をほとんど受けないと仮定できるからである。色材として染料を用いた場合は、一般的に記録媒体に色材が浸潤するため、色材だけでなく記録媒体の分光透過率も影響してしまい、パッチ画像の分光反射率を求めるための関係式はさらに複雑になる。
【００１１】
従来の観察光源に基づいた出力を行う方法として、カラーマッチングを行うときの光源の情報を入力し、入力した光源情報に基づいて出力画像情報を生成するものがある（特許文献１参照）。
【００１２】
また、蛍光灯光源の分光分布に対応したカラーマッチングを行うものがある（特許文献２参照）。さらに、観察光源の分光分布とカラーマッチングプロファイルの光源の分光分布が一致しない場合に、観察光源の分光分布に対応したカラーマッチングプロファイルを再生成するものもある（特許文献３参照）。
【００１３】
さらに、近年のプリンタには、従来のＣＭＹＫといった色材に加えて、ＲＧＢ等の色材を用いるものがある。従来は２次色や３次色というようなＣＭＹＫの組み合わせで再現していた色や、ＣＭＹＫの組み合わせでは再現することができない色域の色を表現することができるため、使用色材量の削減や色再現範囲の拡大を実現することができる。
【特許文献１】特開平８−１４９３２２号公報
【特許文献２】特開平１０−１０５１４５号公報
【特許文献３】特開２００２−２１８２６６号公報
【発明の開示】
【発明が解決しようとする課題】
【００１４】
上述の一般的な測定機による光学濃度の測定では、特定の規格化された濃度値しか測定することができない。しかし、前述の式１から判るように、パッチ画像の分光反射率Ｒ（λ）が同一でなければ、測定機で設定した「ＣＩＥ昼光」下では同一の濃度値になるパッチ画像であっても、観察光源が異なる場合は、違う濃度値になってしまう。この結果、正確にキャリブレーションが行われ、「ＣＩＥ昼光」下では同一の濃度値となる複数の記録物が実際の観察光源下（例えば、太陽光、蛍光灯、白熱球などの光源）で見ると色味が一致しないという問題が発生する。
【００１５】
また、光源を指定してカラーマッチンクプロファイルを変更するシステムでは、比較的頻繁に行うキャリブレーションの度に各光源に対応したカラーマッチンクプロファイルを変更することになる。このため、カラーマッチンクプロファイルの管理が煩雑になる上、頻繁に複雑な演算等を行うことになることから複雑な制御が必要となってしまう。
【００１６】
一方、式１の受光器の分光感度Ｓ（λ）は、従来の印刷機による印刷物や銀塩写真のフイルムなどの濃度を測定するために規定された光学フィルタを用いていたため、近年のプリンタで使用されている色材に対してマッチングが良くないという問題がある。図３は出力信号が０，３２，６４・・・，２５５の場合におけるＲｅｄインクの分光反射特性に、印刷物の濃度測定に使用される「ＡＮＳＩ  ＳＴＡＴＵＳ  Ｔ」の分光特性を重ねたものである。図３より、青のフィルタＳｂ（λ）若しくは緑のフィルタＳｇ（λ）を使用した場合は、出力信号が９６〜２５５において似たような特性を有しており、変化が少ない部分での測定しかできないことがわかる。また、赤のフィルタＳｒ（λ）を使用した場合は、０〜２５５の全域にわたって濃度が非常に小さくなってしまう。この場合、出力信号全域にわたって測定可能な光学フィルタとしては、波長（λ）が５００〜６５０ｎｍ程度をカバーするものを使用することが望ましい。
【００１７】
そこで、本発明は上述の課題を解決するためのものであり、主に、画像を観察する観察環境の光源に応じた、最適なキャリブレーションを複雑な手順を経ることなく行うことを可能にする。
【課題を解決するための手段】
【００１８】
上記課題を解決するための本発明は、記録信号に基づき画像の記録を行う記録装置と、測定物の分光特性を測定する測定装置と、前記記録装置のキャリブレーションを行うホスト装置とを有する記録システムであって、
前記記録装置により記録された画像が観察されるときの光源を設定する設定手段と、
前記測定装置により測定された前記画像の分光特性と、前記設定手段において設定された前記光源の分光特性とに基づいて、前記観察されるときの光源における前記画像の光学濃度が所定の濃度となるように前記記録信号を生成するためのルックアップテーブルを生成する生成手段と、
を有することを特徴とする。
【００１９】
また、上記課題を解決するための別の本発明は、ルックアップテーブルを用いて記録データから記録信号を生成する生成手段と、前記記録信号に基づき画像の記録を行う記録手段と、測定物の分光特性を測定する測定手段と、を有し、前記記録手段のキャリブレーションを行うキャリブレーション方法であって、
キャリブレーションのための画像を記録する記録工程と、
前記キャリブレーションのための画像の分光特性を測定する測定工程と、
記録された画像が観察されるときの光源に関する情報を設定する設定工程と、
前記測定工程で測定された前記キャリブレーションのための画像の分光特性と、前記設定工程で設定された前記画像が観察されるときの光源の分光特性とに基づいて、前記観察されるときの光源における画像の光学濃度が所定の濃度となるように、前記ルックアップテーブルを更新するための更新工程と、
を備えることを特徴とする。
【００２０】
また、上記課題を解決するための別の本発明は、記録信号に基づき記録を行う記録装置と、予め定められた分光特性をもつ光源を有した分光特性測定装置と、前記記録装置のキャリブレーションを行うホスト装置とを有する記録システムであって、
複数の光源についての分光特性データを格納する記憶手段と、
前記記録装置により前記サンプル画像を記録させるよう制御する記録手段と、
前記分光特性測定装置により前記サンプル画像の分光特性を測定するよう制御する測定手段と、
前記記録装置により記録される画像を観察する観察環境の光源を設定するための指示手段と、
前記分光特性測定装置により測定されて得られた前記サンプル画像の分光特性データと、前記指示手段により設定された設定条件に基づく前記記憶手段に格納された分光特性データとから、前記指示手段により設定された観察環境の光源の分光特性を反映した前記サンプル画像の光学濃度を計算する計算手段と、
前記計算手段により計算された前記光学濃度から、前記記録信号を補正するルックアップテーブルを作成する作成手段とを有し、
前記記憶手段は、前記ルックアップテーブルをさらに格納することを特徴とする。
【００２１】
また、上記課題を解決するための別の本発明は、記録信号に基づき記録を行う記録手段と、予め定められた分光特性をもつ光源を有した分光特性測定手段と、前記記録手段のキャリブレーションを行うキャリブレーション手段とを有する記録装置であって、
複数の光源についての分光特性データを格納する記憶手段と、
前記記録手段により前記サンプル画像を記録させるよう制御する記録手段と、
前記分光特性測定手段により前記サンプル画像の分光特性を測定するよう制御する測定手段と、
前記記録手段により記録される画像を観察する観察環境の光源を設定するための指示手段と、
前記分光特性測定手段により測定されて得られた前記サンプル画像の分光特性データと、前記指示手段により設定された設定条件に基づく前記記憶手段に格納された分光特性データとから、前記指示手段により設定された観察環境の光源の分光特性を反映した前記サンプル画像の光学濃度を計算する計算手段と、
前記計算手段により計算された前記光学濃度から、前記記録信号を補正するルックアップテーブルを作成する作成手段とを有し、
前記記憶手段は、前記ルックアップテーブルをさらに格納することを特徴とする。
【００２２】
また、上記課題を解決するための別の本発明は、記録信号に基づき記録を行う記録装置と、予め定められた分光特性をもつ光源を有した分光特性測定装置とを接続し、前記記録装置のキャリブレーションを行うキャリブレーション装置であって、
複数の光源についての分光特性データを格納する記憶手段と、
前記記録装置により前記サンプル画像を記録させるよう制御する記録手段と、
前記分光特性測定装置により前記サンプル画像の分光特性を測定するよう制御する測定手段と、
前記記録装置により記録される画像を観察する観察環境の光源を設定するための指示手段と、
前記分光特性測定装置により測定されて得られた前記サンプル画像の分光特性データと、前記指示手段により設定された設定条件に基づく前記記憶手段に格納された分光特性データとから、前記指示手段により設定された観察環境の光源の分光特性を反映した前記サンプル画像の光学濃度を計算する計算手段と、
前記計算手段により計算された前記光学濃度から、前記記録信号を補正するルックアップテーブルを作成する作成手段とを有し、
前記記憶手段は、前記ルックアップテーブルをさらに格納することを特徴とする。
【００２３】
さらに、上記課題を解決するための別の本発明は、記録信号に基づき記録を行う記録装置と、予め定められた分光特性をもつ光源を有した分光特性測定装置と、前記記録装置のキャリブレーションを行うホスト装置とを有する記録システムのキャリブレーション方法であって、
複数の光源についての分光特性データを記憶手段に格納する格納工程と、
前記記録装置により前記サンプル画像を記録させるよう制御する記録工程と、
前記分光特性測定装置により前記サンプル画像の分光特性を測定するよう制御する測定工程と、
前記記録装置により記録される画像を観察する観察環境の光源を設定するための設定工程と、
前記分光特性測定装置により測定されて得られた前記サンプル画像の分光特性データと、前記設定工程により設定された設定条件に基づく前記記憶手段に格納された分光特性データとから、前記設定工程により設定された観察環境の光源の分光特性を反映した前記サンプル画像の光学濃度を計算する計算工程と、
前記計算工程により計算された前記光学濃度から、前記記録信号を補正するルックアップテーブルを作成する作成工程と、
前記ルックアップテーブルをさらに前記記憶手段に格納するルックアップテーブルの格納工程と
を有することを特徴とする。
【発明の効果】
【００２４】
以上のように、本発明によれば観察光源に最適な濃度計算式を任意に定義できるようにする。このことで、観察環境の光源に応じた、最適なキャリブレーションを複雑な手順を経ることなく行うことを可能にする。また、カラーマッチングプロファイルとは独立して観察光源による影響を管理できるため、複数の作業者により記録される出力物のプロファイル管理が容易になり、プロファイルを再生成するための演算に比べて簡単な演算で処理を行うことができる。
【発明を実施するための最良の形態】
【００２５】
以下説明する本発明の実施例は、キャリブレーションの際の濃度測定時における光源と光学フィルタの分光特性を設定することのできる記録システム及び記録装置である。
【００２６】
以下、本発明の実施例について図面を用いて説明する。
【００２７】
なお、この明細書において、「記録」とは、文字、図形等有意の情報を形成する場合のみならず、有意無意を問わず、広く記録媒体上に画像、模様、パターン等を形成する、又は媒体の加工を行う場合も表すものとする。また、人間が視覚で知覚し得るように顕在化したものであるか否かを問わない。
【００２８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【実施例１】
【００２９】
図１に本実施例における記録システムの概要を示す。
【００３０】
本実施例の記録システムは、基本的にホスト装置としてのパーソナルコンピュータ(以下、単に「ＰＣ」ともいう)１０１に、記録装置としてのプリンタ１０２及び分光特性測定装置としての測定機１０３が接続されて構成されるものである。この測定機１０３は、画像が記録された原稿（反射原稿や透過原稿）などの測定物の分光特性を測定する分光光度計に加え、光源の分光特性を測定する分光放射輝度計を備えている。
【００３１】
ＰＣ１０１は、情報処理装置として、以下に示すようにプリンタ１０２及び測定機１０３の制御に関して種々の処理を行うものである。ＣＰＵ１０５は、記憶装置（ＲＯＭやＲＡＭなどのメモリ）１０７に格納された、図２にて後述される処理等のプログラムに従い上記制御のための処理を実行する。また、作業メモリ１０６はその処理の際のワークエリアとして用いられる。ユーザインタフェースとなる操作部(以下、単に「ＵＩ」ともいう)１０４は、上記処理の実行に関してユーザによる入力やユーザに対する表示などに関する処理を行い、キーボード（ＫＢ）１０９等の入力機器や表示器１０８を含むものである。
【００３２】
この記録システムでは、ユーザはＰＣ１０１を操作することで種々のプリントアプリケーションによって処理された文書、画像等をプリンタ１０２から記録させることができる。すなわち、ＰＣ１０１はプリントアプリケーションにより処理された画像等についての記録データを、記録信号としてプリンタ１０２へ出力し、記録媒体に対して記録データに従った画像等の記録を行わせることができる。なお、ＰＣ１０１は、ルックアップテーブルなどを用いて記録データから記録信号への変換を行う。
【００３３】
測定機１０３は、ＰＣ１０１の記憶装置１０７に格納されたキャリブレーション処理を行うプログラムに従って、キャリブレーション用のサンプル画像であるパッチ画像の光学濃度測定や観察光源の分光特性測定を行う。そして、測定機１０３は、得られた測定データをＰＣ１０１に入力する。そして、ＰＣ１０１のＣＰＵ１０５は、これらの光学濃度測定や観察光源の分光特性の測定データ、又は、パッチ画像の光学濃度データと記憶装置１０７に格納される観察光源の分光特性データ等、に基づいてキャリブレーションを行う。さらに本発明における特徴として、測定機１０３で測定したパッチ画像の分光反射率から光学濃度を算出する際に使用する、複数の光源についての分光特性データと光学フィルタ条件を記憶装置１０７に格納する。なお、記憶装置１０７には、キャリブレーションの際に使用されるキャリブレーション対象のプリンタと記録媒体の種類に対応するターゲットデータ（目標とする特性に関するデータ）が予め格納されている。なお、プリンタによって記録された画像が観察または鑑賞されるときの光源のことを観察光源と称する。
【００３４】
図２に本実施例におけるキャリブレーション処理を行うフローチャートを示す。
【００３５】
本実施例のキャリブレーション処理は、例えば、ユーザがＵＩ１０４を介してプリントアプリケーションによるキャリブレーション処理の選択、実行を指示することによって起動される。
【００３６】
ステップＳ２１０においては、図４に示す後述のキャリブレーション設定画面で、ユーザは設定条件である光学濃度算出時に使用する光学フィルタ情報と光源情報を入力する。これらの設定はＵＩ１０４によって設定され、設定画面で「ＯＫ」が押された場合には記憶装置１０７にユーザが入力した設定条件の内容が保存される。設定画面で「ＯＫ」が押された場合にはステップＳ２２０に進み、「Ｃａｎｃｅｌ」が押された場合にはキャリブレーション処理を終了する。
【００３７】
ステップＳ２２０においては、プリンタ１０２を用いて、キャリブレーション用のサンプル画像であるパッチ画像を記録媒体に記録する。このパッチ画像は、測定機１０３によりパッチ画像の光学濃度データが測定可能な程度の大きさを有する画像であり、パターン画像とも称する。
【００３８】
ステップＳ２３０においては、ステップＳ２２０で出力されたパッチ画像の分光反射率（分光特性）を測定機１０３により測定し、ＰＣ１０１のＣＰＵ１０５はステップＳ２１０で設定された条件に従ってパッチ画像の光学濃度Ｄを算出する。算出には前述の式２を使用し、測定した分光反射率をＲ（λ）、ステップＳ２１０で設定した光学フィルタの設定条件をＳ（λ）、観察光源の設定条件をＰ（λ）にそれぞれ代入して光学濃度Ｄを算出する。つまり、測定機１０３による測定値と、光学フィルタの設定値Ｓ（λ）、観察光源の設定値Ｐ（λ）とに基づいて、観察光源下におけるパッチ画像の光学濃度Ｄが取得される。なお、本実施例では式２のｍｉｎは４００（ｎｍ）、ｍａｘは７００（ｎｍ）、ｓｔｅｐは１０（ｎｍ）として算出する。また、測定された分光反射率は記憶装置１０７に記憶しても良い。
【００３９】
ステップＳ２４０においては、ステップＳ２３０で算出した光学濃度Ｄの値に基づき、ＰＣ１０１からプリンタ１０２に入力される記録信号を観察光源に適するように補正するためのルックアップテーブル（ＬＵＴ）を作成する。すなわち、ステップＳ２３０で算出したパッチ画像の光学濃度Ｄが、予め記憶装置１０７に格納されている目標とする画像の光学濃度Ｄに近い値となるように、記録信号を生成するためのルックアップテーブルを作成・更新する。記憶装置１０７に格納されている目標とする画像の特性データに関する情報が分光特性である場合には、分光特性をＲ（λ）、設定された観察光源の分光特性をＰ（λ）、光学フィルタの設定条件をＳ（λ）として目標とする画像の光学濃度Ｄを算出する。そして、パッチ画像の光学濃度Ｄが、目標とする画像の光学濃度Ｄに近い値となるようにルックアップテーブルを作成・更新する。なお、ＬＵＴ作成のための計算は公知の方法によって実行できるため、ここではその詳細な説明を省略する。
【００４０】
ステップＳ２５０において、ステップＳ２４０で計算して得られたＬＵＴを記憶装置１０７に格納し、キャリブレーション処理を終了する。なお、前回のキャリブレーション処理を行ってからそれほど時間が経過していない場合は、ステップＳ２３０のパッチ画像の光学濃度Ｄを求める際に、前回のキャリブレーション処理において測定されたパッチ画像の分光特性を用いてもよい。パッチ画像の光学特性として前回の測定結果を用い、観察光源の条件を設定することで、設定された観察光源下におけるパッチ画像の光学濃度Ｄを求めることができる。
【００４１】
このように、本実施例は、キャリブレーション処理におけるパッチ画像の濃度取得時の光源の分光特性を設定できるようにすることで、画像の観察環境の光源に応じた、最適なキャリブレーションを複雑な手順を経ることなく行うことを可能にする。また、本実施例では、キャリブレーション処理における濃度測定時の光学フィルタの分光特性を設定できるようにしている。このことで、分光反射特性の異なる多様な色材によって記録されるプリンタを有する記録システムにおいても、最適なキャリブレーション処理を複雑な手順を経ることなく行うことが可能になる。また、カラーマッチングプロファイルとは独立して観察光源による影響を管理できるため、複数の作業者により記録される出力物のプロファイル管理が容易になり、プロファイルを再生成するための演算に比べて簡単な演算で処理を行うことができる。つまり、目標とする画像の分光特性データを記憶している為、観察光源を変えてキャリブレーションを行うときに、改めてパッチ画像を記録して分光特性を測定しなくても、観察光源の分光特性の設定を変更するだけでキャリブレーション処理を行うことができる。その結果、キャリブレーションに要する時間を短縮することができ、キャリブレーションに要する記録媒体の消費量を低減することもできる。なお、本実施例では、光学フィルタの分光特性を設定することができるようにしているがこれは必須の要件ではない。観察光源の分光特性を設定することができる記録システムであれば、光学フィルタの分光特性を設定することができなくても本発明に含まれる。
【００４２】
図４は本実施例における濃度値算出に用いる条件の設定画面（キャリブレーション設定画面）の例である。この画面はオペレーターがＵＩ１０４によってシステムにキャリブレーション処理を指示した際に表示される。具体的には、図２に示すキャリブレーション処理のステップＳ２０１において、キャリブレーション設定画面に従ってユーザが光学濃度算出に用いる条件を設定する。
【００４３】
４０１は濃度値を算出する際の光学フィルタを指定するフィルタ設定部である。４０２は、予め定義されている複数の光学フィルタの情報がリスト化されており、リストの中から測定時の光学フィルタを選択して指定する。ＰＣ１０１のＣＰＵ１０５は、４０２で選択指定された光学フィルタに対応し、記憶装置１０７に格納されている光学フィルタの分光特性の情報を、濃度算出の際に使用する。また、４０３は、光学フィルタのリスト４０２とは異なる光学フィルタを指定するときに利用され、光学フィルタの分光特性の情報を有する定義ファイル、または定義ファイルの保存場所を指定する。なお、４０３で指定される定義ファイルの一例として、図５に示すフォーマットに従って記述された光学フィルタの分光特性定義ファイルがあげられる。なお、ＣＰＵ１０５は、４０３で指定された定義ファイルから読み取った値を記憶装置１０７に格納し、濃度算出の際に使用する。この４０２と４０３は排他的に設定するようになっており、どちらか一方を設定するようになっている。
【００４４】
４０４は、濃度値を算出する際の観察光源を指定する光源設定部である。４０５は予め定義されている複数の光源の情報がリスト化されており、リストの中から測定時の光源を選択して指定する。ＰＣ１０１のＣＰＵ１０５は、４０５で選択指定された光源に対応し、記憶装置１０７に格納されている光源の分光特性の情報を、濃度算出の際に使用する。また、４０６は、光源のリスト４０５とは異なる光源を指定するときに利用され、光源の分光特性の情報を有する定義ファイル、または定義ファイルの保存場所を指定する。なお、４０５で指定される定義ファイルの一例として、図６に示すフォーマットに従って記述された光源の分光特性定義ファイルがあげられる。なお、ＣＰＵ１０５は、４０５で指定された定義ファイルから読み取った値を記憶装置１０７に格納し、濃度算出の際に使用する。
【００４５】
４０７は接続された測定機１０３の分光放射輝度計で光源を直接測定する際に押されるボタンである。照明光の場合はその照明の分光特性を測定し、出力物が後ろから蛍光灯などの光を透過させて掲示する看板のようなものならば、その蛍光灯の分光特性を測定する。測定された値は上述の定義ファイルから読み取った場合と同様に記憶装置１０７に格納される。この４０５〜４０７は排他的に設定するようになっており、いずれか一つを設定するようになっている。
【００４６】
４０８はキャリブレーション設定で設定された光学フィルタ、光源の条件を反映させて、次の処理に移る時に押されるボタンである。４０９はキャリブレーション処理を取りやめる際に押されるボタンである。
【００４７】
図５は、本実施例のキャリブレーション設定画面において指定する、光学フィルタの分光特性情報を有する定義ファイルのフォーマット例である。このファイルはヘッダー部とデータ部に分かれている。ヘッダー部にはフィルタの名称と、使用される色材の数（インク色の数）が記述されている。データ部には色材の色毎に測定の範囲である４００ｎｍ〜７００ｎｍ間を１０ｎｍ刻みにした波長と、それに対応する相対分光積の値が羅列されている。このファイルを作成するには、様々な方法があるが、最も簡単な方法としては全波長を測定対象にすることである。ただし全波長を対象にすると、算出される濃度が低くなる事が予想されるため、測定対象の波長をプリンタへの出力信号に対する変化が比較的大きいところに限定し、重要な波長域に重みを大きく付けるという手順で設定することが望ましい。
【００４８】
図６は、本実施例のキャリブレーション設定画面において指定する、光源の分光特性情報を有する定義ファイルのフォーマット例である。このファイルのヘッダー部には光源の名称が記述されており、データ部には波長とそれに対応する分光分布の値が羅列されている。このファイルを作成するには、観察光源下に置いた基準白色板や光源との間に置いた拡散板を分光放射輝度計で測定した値を使用することになる。
【００４９】
図７は、本実施例のキャリブレーション処理において、目標とする特性を記述したターゲットデータの例である。このデータのヘッダー部には記録媒体の種類、記録品位、使用される色材の数、及び各色材のパッチ画像の数が記述されている。データ部には色材の色、パッチ出力信号値毎に波長と、それに対応する分光反射率の値が羅列されている。この値はターゲットとなるプリンタで出力したパッチ画像を分光光度計で測定した値が使用される。本実施例においては、プリンタにより出力された画像が、所定の観察光源においてもターゲットデータと同じ分光特性を有するように、ＬＵＴのデータを生成、更新する。
【００５０】
図８は、本実施例におけるターゲットデータの別の例である。このデータでは、図７のようにパッチ画像の分光特性が記述されているのではなく、パッチ画像の濃度値が記述されている。図８のデータのヘッダー部には光源の名称、光学フィルタの名称が記述されており、データ部には濃度測定に使用される光源、光学フィルタの分光特性の情報がそれぞれ記述されている。また、データ部には、パッチ画像のデータとして、データ部に記述されている光源、光学フィルタそれぞれの分光特性の情報（設定値）に基づいて算出された濃度値が記述されている。キャリブレーション設定画面において、この図８のターゲットデータを使用する場合は、光学フィルタを設定するフィルタ設定部４０１と観察光源を設定する光源設定部４０４が図９に示すように表示され、ターゲットデータに記述されている値が設定される。
【実施例２】
【００５１】
図１０に上記とは別の本実施例における記録システムの概要を示す。
【００５２】
本実施例の記録システムは、該記録システムに記録データ等を入力するホスト装置としてのＰＣ２１１に接続され、制御部２０１、記録部２０２及び分光特性を測定する測定部２０３から構成されるプリンタである。測定部２０３は反射原稿や透過原稿の分光特性を測定する分光光度計に加え、光源の分光特性を測定する分光放射輝度計が使用される。
【００５３】
制御部２０１は、以下に示すように記録部２０２及び測定部２０３の制御に関して種々の処理を行うものである。ＣＰＵ２０５は、記憶装置２０７に格納されたプログラムに従い上記制御のための処理を実行し、作業メモリ２０６はその処理の際のワークエリアとして用いられる。ＵＩ２０４は、上記処理の実行に関してユーザによる入力やユーザに対する表示などに関する処理を行い、操作パネル２０９等の入力機器や表示器２０８を含むものである。
【００５４】
この記録システムでは、ユーザはＰＣ２１１において種々のプリントアプリケーションによって処理された文書、画像等をプリンタ２１０から記録させることができる。すなわち、ＰＣ２１１はプリントアプリケーションにより処理された画像等についての記録データを、記録信号としてプリンタ２１０へ出力し、記録を行わせることができる。
【００５５】
測定部２０３は、制御部２０１の記憶装置２０７に格納されたキャリブレーションプログラムによってキャリブレーション用のパッチ画像の光学濃度測定や観察光源の分光特性測定を行う。そして、それらの測定データを制御部２０１に入力する。そして、ＣＰＵ２０５は、これらの測定データ、又は、パッチ画像の光学濃度データと記憶装置２０７に格納される観察光源のデータ等、に基づいてキャリブレーションを行う。さらに本発明における特徴として、測定部２０３で測定したパッチ画像の分光反射特性から濃度を算出する際の光源についての分光特性データと光学フィルタ条件を記憶装置２０７に格納する。なお、記憶装置２０７にはキャリブレーションの際に使用するキャリブレーション対象の記録部２０２の特性と記録媒体の種類に対応するターゲットデータが予め格納されている。
【図面の簡単な説明】
【００５６】
【図１】実施例１におけるプリントシステムの構成を示すブロック図である。
【図２】本発明に関わるキャリブレーションの処理を示すフローチャートである。
【図３】本発明に関わるＲｅｄインクとＡＮＳＩ  ＳＴＡＴＵＳ  Ｔのフィルタの関係を表す例である。
【図４】本発明に関わる濃度値算出条件の設定画面の例である。
【図５】本発明に関わる濃度値算出条件の光学フィルタ設定ファイルのフォーマット例である。
【図６】本発明に関わる濃度値算出条件の光源設定ファイルのフォーマット例である。
【図７】本発明に関わるターゲットデータの例である。
【図８】本発明に関わるターゲットデータの別の例である。
【図９】本発明に関わるターゲットデータを使用した場合の設定画面の例である。
【図１０】実施例２におけるプリントシステムの構成を示すブロック図である。
【符号の説明】
【００５７】
１０１  ＰＣ
１０２  プリンタ
１０３  測定機
１０５  ＣＰＵ
１０７  記憶装置
２１０  プリンタ
２１１  ＰＣ
２０１  制御部
２０２  記録部
２０３  測定部
２０５  ＣＰＵ
２０７  記憶装置
【図１】
2008271042.tif 000006
【図２】
2008271042.tif 000007
【図３】
2008271042.tif 000008
【図４】
2008271042.tif 000009
【図５】
2008271042.tif 000010
【図６】
2008271042.tif 000011
【図７】
2008271042.tif 000012
【図８】
2008271042.tif 000013
【図９】
2008271042.tif 000014
【図１０】
2008271042.tif 000015